(57)【要約】【課題】  無線通信を行っている間でも他システムの通信との干渉を検出し、他システムの通信に与える干渉を低減することができる無線端末、無線通信システム及び無線通信方法を提供する。【解決手段】  システムＡに属する無線端末Ｔａ１−１は、システムＢに割り当てられたライセンスバンドＬＢ−Ｂの無線チャネルｃｈ−ｂ１を複数のサブチャネルに分割して信号を無線端末Ｔａ１−２に送信する。このとき、無線端末Ｔａ１−１は、複数のサブチャネルのうち少なくとも１つのサブチャネル（以下、ヌルサブチャネルと称する。）を信号送信に使用せず、残りのサブチャネルを用いて信号を送信する。この信号を受信した無線端末Ｔａ１−２は、ヌルサブチャネルの受信電力を測定し、閾値Ｔｈ１と比較する。比較結果、受信電力が閾値Ｔｈ１より大きい場合、無線端末Ｔａ１−２は、システムＢと干渉していると判断し、無線チャネルｃｈ−ｂ１の使用を停止する。【選択図】  図３
2007312114.tif 000002
【特許請求の範囲】
【請求項１】
第１の無線通信装置と第２の無線通信装置がＬ（Ｌ≧２）本のサブキャリアを用いて通信を行う無線通信システムであって、
前記第１の無線通信装置は、
前記Ｌ本のサブキャリアをＮ（１≦Ｎ＜Ｌ）本のサブキャリアを含む第１のサブキャリア群とＬ−Ｎ本のサブキャリアを含む第２のサブキャリア群に二分する第１のサブキャリアセレクタと、
前記第１のサブキャリア群のサブキャリア信号を含むマルチキャリア信号を送信する送信手段を備え、
前記第２の無線通信装置は、
前記Ｌ本のサブキャリアを含むマルチキャリア信号を受信する受信手段と、
前記受信したマルチキャリア信号を前記第１のサブキャリア群のサブキャリア信号と前記第２のサブキャリア群のサブキャリア信号に二分する第２のサブキャリアセレクタと、
前記第２のサブキャリア群のサブキャリア信号の受信電力が一定値以上であるか否かを検出する他システム信号検出手段と、
前記他システム信号検出手段の検出結果を基に、前記マルチキャリア信号を送信した周波数の使用を停止するよう前記第１の無線通信装置に通知する制御手段と
を備えることを特徴とする無線通信システム。
【請求項２】
前記他システム信号検出手段は、予め定めた期間、前記第２のサブキャリア群のサブキャリア信号の受信電力を累積加算する加算手段と、前記累積加算値と第１の閾値を比較し、前記加算値が前記第１の閾値より大きい場合に前記制御手段に前記第３の無線通信装置の信号を検出したと通知する比較手段を備えていることを特徴とする請求項１に記載の無線通信システム。
【請求項３】
前記送信手段は、周波数ホッピングパターンに従い、前記マルチキャリア信号を送信する周波数を変更し、前記マルチキャリア信号を送信した周波数Ｆの使用を停止するよう前記第２の無線通信装置から通知を受けた場合は、前記周波数Ｆの使用を停止し、前記周波数Ｆをのぞいた周波数ホッピングパターンに従い前記マルチキャリア信号を送信することを特徴とする請求項１に記載の無線通信システム。
【請求項４】
前記送信手段は、複数の周波数ホッピングパターンの中から第１の周波数ホッピングパターンを選択し、当該第１の周波数ホッピングパターンに従い、前記マルチキャリア信号を送信し、前記マルチキャリア信号を送信した周波数Ｆの使用を停止するよう前記第２の無線通信装置から通知を受けた場合は、前記周波数Ｆの使用を停止するとともに、前記第１の周波数ホッピングパターンで使用する周波数の数が予め定めた第２の閾値より少ない場合は、信号送信に使用する周波数ホッピングパターンを前記第１のホッピングパターンから第２のホッピングパターンに変更することを特徴とする請求項１に記載の無線通信システム。
【請求項５】
前記第３の無線通信装置が使用する周波数帯域の使用頻度が既知である場合、前記第１のサブキャリアセレクタは、前記第３の無線通信装置の使用頻度が低い周波数帯域のサブキャリアを、前記第１のサブキャリア群に優先的に割り当てることを特徴とする請求項１に記載の無線通信システム。
【請求項６】
前記第１のサブキャリアセレクタは、前記Ｌ本のサブキャリアのうち、連続する３本以上のサブキャリアを前記第２のサブキャリア群に割り当てることを特徴とする請求項１に記載の無線通信システム。
【請求項７】
前記第２のサブキャリアセレクタは、前記第２のサブキャリア群に割り当てられた前記連続する３本以上のサブキャリア信号のうち、最も周波数の低いサブキャリア信号および最も周波数の高いサブキャリア信号を除くサブキャリア信号を、前記他システム信号検出手段に入力することを特徴とする請求項６に記載の無線通信システム。
【請求項８】
前記第３の無線通信装置が周波数分割複信を用いて通信を行い、かつ前記他システム信号検出手段によって前記第３の無線通信装置が使用する周波数の信号が検出された場合、前記制御手段は、前記検出した信号の周波数及び前記第３の無線通信装置が当該周波数に対応して使用する上り／下り用周波数の使用を停止するよう前記第１の無線通信装置に通知することを特徴とする請求項１に記載の無線通信システム。
【請求項９】
前記第１の無線通信装置および前記第２の無線通信装置は、周波数分割複信を用いて通信を行うことを特徴とする請求項１乃至請求項９のいずれか１項に記載の無線通信システム。
【請求項１０】
前記送信手段は、前記マルチキャリア信号を直交波周波数分割多重方式で変調することを特徴とする請求項１乃至請求項９のいずれか１項に記載の無線通信システム。
【請求項１１】
基地局と複数の無線通信装置がＬ（Ｌ≧２）本のサブキャリアを用いて通信を行う無線通信システムであって、
前記基地局は、
前記Ｌ本のサブキャリアをＮ（１≦Ｎ＜Ｌ）本のサブキャリアを含む第１のサブキャリア群とＬ−Ｎ本のサブキャリアを含む第２のサブキャリア群に二分する第１のサブキャリアセレクタと、
前記第１のサブキャリア群のサブキャリア信号を含むマルチキャリア信号を送信する送信手段を備え、
前記複数の無線通信装置は、
前記Ｌ本のサブキャリアを含むマルチキャリア信号を受信する受信手段と、
前記受信したマルチキャリア信号を前記第１のサブキャリア群のサブキャリア信号と前記第２のサブキャリア群のサブキャリア信号に二分する第２のサブキャリアセレクタと、
前記第２のサブキャリア群のサブキャリア信号の受信電力が一定値以上である否かを検出する他システム信号検出手段と、
前記他システム信号検出手段の検出結果を基に、前記マルチキャリア信号を送信した周波数Ｆの使用を停止するよう前記第１の無線通信装置に通知する制御手段を備え、
前記基地局は、前記複数の無線通信装置の少なくとも１つの無線通信装置から前記周波数Ｆの使用を停止するよう通知を受け取った場合、前記複数の無線通信装置全てとの通信に対して前記周波数Ｆの使用を停止する
ことを特徴とする無線通信システム。
【請求項１２】
第１の無線通信装置と第2の無線通信装置がＬ（≧２）本のサブキャリアを用いて通信を行う無線通信方法であって、
前記第１の無線通信装置の第１のサブキャリアセレクタが前記Ｌ本のサブキャリアをＮ本（１≦Ｎ＜Ｌ）のサブキャリアを含む第１のサブキャリア群とＬ−Ｎ本のサブキャリアを含む第２のサブキャリア群とにわけるステップと、
送信手段によって、前記第１のサブキャリア群のサブキャリア信号を含むマルチキャリア信号を送信するステップと、
前記第２の無線通信装置の受信手段によって前記Ｌ本のサブキャリア信号を含むマルチキャリア信号を受信するステップと、
第２のサブキャリアセレクタによって前記受信したマルチキャリア信号を前記第１のサブキャリア群のサブキャリア信号と前記第２のサブキャリア群のサブキャリア信号とにわけるステップと、
他システム信号検出手段によって前記第２のサブキャリア群のサブキャリア信号の受信電力が一定値以上であるか否かを検出するステップと、
前記他システム信号検出手段結果を元に、前記制御手段によって前記マルチキャリア信号を送信した周波数の使用を停止するよう前記第１の無線通信装置に通知するステップを
備えることを特徴とする無線通信方法。
【請求項１３】
前記他システム信号検出手段によって、前記第１の無線通信装置以外の第３の無線通信装置が送信する信号を検出するステップは、さらに前記第２のサブキャリア群のサブキャリア信号の受信電力を予め定めた期間、累積加算するステップと、前記累積加算値を第１の閾値と比較するステップと、比較の結果、前記累積加算値が前記第１の閾値以上である場合、前記第１の無線通信装置以外の第３の無線通信装置が送信する信号を検出したと制御部へ通知するステップを備えることを特徴とする請求項１２に記載の無線通信方法。
【発明の詳細な説明】
【技術分野】
【０００１】
本発明は、無線通信システム及び無線通信方法に関する。
【背景技術】
【０００２】
限られた周波数資源を有効利用するため、例えば無線通信システムＡのライセンスバンドを、無線通信システムＡに属する端末（以下、ライセンス端末と称する。）が使用していない場所又は時間に限って、無線通信システムＢに属する端末（以下、アンライセンス端末と称する。）が使用するコグニティブラジオと呼ばれる方式が知られている（例えば、特許文献１参照。）。
【０００３】
このコグニティブラジオでは、アンライセンス端末は、無線通信システムＡのライセンスバンドを使用して通信を行う。そのため、アンライセンス端末は、ライセンス端末に干渉を与えないようにしてライセンスバンドを使用しなければならない。
【０００４】
そこで、アンライセンス端末がライセンス端末に与える干渉を低減する方法として、通信を行う前に周波数帯域の信号検出を行い、信号を検出した周波数帯域を通信に使用しないという方法がある（例えば、特許文献２参照。）。
【０００５】
この方法では、アンライセンス端末は、まず信号を送信する前に受信信号の受信レベルを検出、判定しこの受信信号によって干渉を受けた期間を検出する。次に、アンライセンス端末は、この受信信号による干渉期間の検出結果を元に、自身が信号を送信するタイミングで周波数帯域がライセンス端末によって使用されるか否かを判断する。アンライセンス端末は、使用されると判断した周波数帯域を信号送信に使用しないことでライセンス端末への干渉を低減することができる。
【特許文献１】特開２０００−１９６９６７号公報（５−７頁、図１）
【特許文献２】特開２００１−２８５２３６号公報（７頁、図２）
【発明の開示】
【発明が解決しようとする課題】
【０００６】
しかしながら、特許文献２に記載される方法では、アンライセンス端末は、通信を開始する前のみ周波数帯域の使用状況を検出するため、通信を行っている間にライセンス端末との間に干渉が発生してしまっても、この干渉を検出できず、ライセンス端末に干渉を与え続けるという問題がある。
【０００７】
本発明は、上記従来技術の問題点を解決するためになされたものであって、無線通信を行っている間でも他システムの通信との干渉を検出し、他システムの通信に与える干渉を低減することができる無線通信システム及び無線通信方法の提供を目的とする。
【課題を解決するための手段】
【０００８】
上記目的を達成するために、本発明の無線通信システムは、第１の無線通信装置と第２の無線通信装置がＬ（Ｌ≧２）本のサブキャリアを用いて通信を行う無線通信システムであって、前記第１の無線通信装置は、前記Ｌ本のサブキャリアをＮ（１≦Ｎ＜Ｌ）本のサブキャリアを含む第１のサブキャリア群とＬ−Ｎ本のサブキャリアを含む第２のサブキャリア群に二分する第１のサブキャリアセレクタと、前記第１のサブキャリア群のサブキャリア信号を含むマルチキャリア信号を送信する送信手段を備え、前記第２の無線通信装置は、前記Ｌ本のサブキャリアを含むマルチキャリア信号を受信する受信手段と、前記受信したマルチキャリア信号を前記第１のサブキャリア群のサブキャリア信号と前記第２のサブキャリア群のサブキャリア信号に二分する第２のサブキャリアセレクタと、前記第２のサブキャリア群のサブキャリア信号の受信電力が一定値以上であるか否かを検出する他システム信号検出手段と、前記他システム信号検出手段の検出結果を基に、前記マルチキャリア信号を送信した周波数の使用を停止するよう前記第１の無線通信装置に通知する制御手段とを備えることを特徴とする。
【０００９】
また、本発明の無線通信システムは、基地局と複数の無線通信装置がＬ（Ｌ≧２）本のサブキャリアを用いて通信を行う無線通信システムであって、前記基地局は、前記Ｌ本のサブキャリアをＮ（１≦Ｎ＜Ｌ）本のサブキャリアを含む第１のサブキャリア群とＬ−Ｎ本のサブキャリアを含む第２のサブキャリア群に二分する第１のサブキャリアセレクタと、前記第１のサブキャリア群のサブキャリア信号を含むマルチキャリア信号を送信する送信手段を備え、前記複数の無線通信装置は、前記Ｌ本のサブキャリアを含むマルチキャリア信号を受信する受信手段と、前記受信したマルチキャリア信号を前記第１のサブキャリア群のサブキャリア信号と前記第２のサブキャリア群のサブキャリア信号に二分する第２のサブキャリアセレクタと、前記第２のサブキャリア群のサブキャリア信号の受信電力が一定値以上である否かを検出する他システム信号検出手段と、前記他システム信号検出手段の検出結果を基に、前記マルチキャリア信号を送信した周波数Ｆの使用を停止するよう前記第１の無線通信装置に通知する制御手段を備え、前記基地局は、前記複数の無線通信装置の少なくとも１つの無線通信装置から前記周波数Ｆの使用を停止するよう通知を受け取った場合、前記複数の無線通信装置全てとの通信に対して前記周波数Ｆの使用を停止することを特徴とする。
【００１０】
また、本発明の無線通信方法は、第１の無線通信装置と第2の無線通信装置がＬ（≧２）本のサブキャリアを用いて通信を行う無線通信方法であって、前記第１の無線通信装置の第１のサブキャリアセレクタが前記Ｌ本のサブキャリアをＮ本（１≦Ｎ＜Ｌ）のサブキャリアを含む第１のサブキャリア群とＬ−Ｎ本のサブキャリアを含む第２のサブキャリア群とにわけるステップと、送信手段によって、前記第１のサブキャリア群のサブキャリア信号を含むマルチキャリア信号を送信するステップと、前記第２の無線通信装置の受信手段によって前記Ｌ本のサブキャリア信号を含むマルチキャリア信号を受信するステップと、第２のサブキャリアセレクタによって前記受信したマルチキャリア信号を前記第１のサブキャリア群のサブキャリア信号と前記第２のサブキャリア群のサブキャリア信号とにわけるステップと、他システム信号検出手段によって前記第２のサブキャリア群のサブキャリア信号の受信電力が一定値以上であるか否かを検出するステップと、前記他システム信号検出手段結果を元に、前記制御手段によって前記マルチキャリア信号を送信した周波数の使用を停止するよう前記第１の無線通信装置に通知するステップを備えることを特徴とする。
【発明の効果】
【００１１】
本発明の無線通信システム及び無線通信方法によれば、無線通信を行っている間でも他システムの通信との干渉を検出し、他システムの通信に与える干渉を低減することができる。
【発明を実施するための最良の形態】
【００１２】
以下、本発明の実施例を、図面を参照して説明する。
【実施例１】
【００１３】
図１乃至図１０を用いて、本発明の第１の実施例に係る無線通信システムを説明する。図１は、本実施例に係る無線通信システムの構成を示す図である。
【００１４】
図１において、無線端末Ｔａ１−１，Ｔａ１−２が本実施例に係る無線通信システム（以下、システムＡ１と称する。）を構成する。無線端末Ｔａ１−１，Ｔａ１−２は、無線通信システムＢ（以下、システムＢと称する。）又は無線通信システムＣ（以下、システムＣと称する。）それぞれに割り当てられたライセンスバンドＬＢ−Ｂ，ＬＢ−Ｃを使用して通信を行う。
【００１５】
システムＢ，Ｃは、例えば携帯電話システムや無線ＬＡＮシステム、レーダシステムなど、予め使用周波数帯域がライセンスされているシステムである。システムＢ，ＣにはライセンスバンドＬＢ−Ｂ，ＬＢ−Ｃが割り当てられているとする。基地局ＢＳ−Ｂ及び端末Ｔａ−Ｂは、システムＢに属しており、ライセンスバンドＬＢ−Ｂを用いて通信を行う。同様に、基地局ＢＳ−Ｃ及び端末Ｔａ−ＣはシステムＣに属しており、ライセンスバンドＬＢ−Ｃを用いて通信を行う。
【００１６】
無線端末Ｔａ１−１，Ｔａ１−２は、ライセンスバンドＬＢ−Ｂ，ＬＢ−Ｃを使用してマルチキャリア通信方式及び周波数分割複信（ＦＤＤ：Ｆｒｅｑｕｅｎｃｙ  Ｄｉｖｉｓｉｏｎ  Ｄｕｐｌｅｘ）を用いて通信を行う。以下の説明では、無線端末Ｔａ１−１，Ｔａ１−２がライセンスバンドＬＢ−Ｂを使用する場合について説明を行うが、ライセンスバンドＬＢ−Ｃを使用する場合も同様である。
【００１７】
次に、図２及び図３を用いて、無線端末Ｔａ１−１，Ｔａ１−２が使用するマルチキャリアの周波数配置について説明する。
【００１８】
図２は、基地局ＢＳ−Ｂ及び無線端末Ｔａ−Ｂが使用する無線チャネルの周波数配置を示す図である。図２に示すように、基地局ＢＳ−Ｂ及び無線端末Ｔａ−Ｂは、ライセンスバンドＬＢ−ＢをＭ個に分割し、その分割した周波数毎にそれぞれの無線チャネルｃｈ−ｂ１，ｃｈ−ｂ２，・・・，ｃｈ−ｂＭを割り当てて通信を行う。無線端末Ｔａ１−１，Ｔａ１−２は、通信に使用する無線チャネル（例えば無線チャネルｃｈ−ｂ１）をＬ本のサブキャリアｓｂ１１，ｓｂ１２，・・・，ｓｂ１Ｌにわけ、このサブキャリアｓｂ１１，ｓｂ１２，・・・，ｓｂ１Ｌに信号を割り当てて通信を行う（図２ではＬ＝３）。なお、Ｌ本のサブキャリアｓｂ１１，ｓｃ１２，・・・，ｓｃ１Ｌの中心周波数をそれぞれＦｂ１−１，Ｆｂ１−２，・・・，Ｆｂ１−Ｌとする。
【００１９】
図３を用いて、サブキャリアｓｂ１１，ｓｂ１２，・・・，ｓｂ１Ｌについて説明する。ここでは、無線チャネルｃｈ−ｂ１を用いて通信を行う場合について説明するが、それ以外の無線チャネルｃｈ−ｂ２，・・・，ｃｈ−ｂＭについても同様である。図３は、無線端末Ｔａ１−１，Ｔａ１−２が通信に使用するサブキャリアｓｂ１１，ｓｂ１２，・・・，ｓｂ１Ｌの使用例を示す図である。
【００２０】
図３（ａ）に示すように、無線端末Ｔａ１−１，Ｔａ１−２は、無線チャネルｃｈ−ｂ１からＬ本のサブキャリアｓｂ１１，ｓｂ１２，・・・，ｓｂ１Ｌを選択して通信を行う。このとき、図３（ｂ）に示すように、無線端末Ｔａ１−１，Ｔａ１−２は、Ｌ本のサブキャリアｓｂ１１，ｓｂ１２，・・・，ｓｂ１ＬのうちＮ本は使用せず残りのｋ＝Ｌ−Ｎ本のサブキャリアを使用して通信を行う。以下、Ｌ＝３，Ｎ＝１として説明する。ここでは、サブキャリアｓｂ１１，ｓｂ１３を通信に使用するが、サブキャリアｓｂ１２は使用しない。以下、サブキャリアｓｂ１２のように信号を送信しないサブキャリアをヌルサブキャリアと称し、サブキャリアｓｂ１２を通信に使用しないことを「サブキャリアｓｂ１２を用いてヌル信号を送信する」と称する。
【００２１】
システムＢの通信と干渉しない環境下では、図３（ｂ）に示すように、ヌルサブキャリアで信号は観測されないが、図３（ｃ）に示すように、システムＢの通信との干渉が発生している環境下では、ヌルサブキャリアでも信号が観測される。
【００２２】
続いて、図４乃至図８を用いて、無線端末Ｔａ１−１の構成を説明する。なお、無線端末Ｔａ１−２の構成は、無線端末Ｔａ１−１と同じであるため説明を省略する。
【００２３】
図４は、無線端末Ｔａ１−１の構成を示すブロック図である。無線端末Ｔａ１−１は、メディアアクセスコントロール部（ＭＡＣ）１１と、ＭＡＣ１１から入力されるデータを送信信号へ変換する送信回路２０と、送信回路２０から入力される送信信号の電力を増幅するパワーアンプ（ＰＡ）３０と、ＰＡ３０から入力された送信信号の帯域外電力を抑えるバンドパスフィルタ４０と、送信アンテナ５１とを備えている。送信信号は、送信アンテナ５１を介して無線端末Ｔａ１−２に送信される。
【００２４】
無線端末Ｔａ１−１は、さらに受信アンテナ５２と、受信アンテナ５２を介して受信した信号の帯域外電力を抑えるバンドパスフィルタ６０と、バンドパスフィルタ６０から入力される受信信号の電力を増幅する低雑音増幅器（ＬＮＡ）７０と、ＬＮＡ７０から入力される受信信号のゲインを調整するためのＶＧＡ（Ｖａｒｉａｂｌｅ  Ｇａｉｎ  Ａｍｐｌｉｆｉｅｒ）８０と、ＶＧＡ８０から入力される受信信号を受信データに変換しＭＡＣ１１へ出力する受信回路９０と、送信回路２０及び受信回路９０での信号処理に利用される周波数を生成する局部発振器１２とを備えている。
【００２５】
なお、ＭＡＣ１１は、受信回路９０から入力された受信データを元に、送信回路２０や受信回路９０の制御などを行う。また、ＶＧＡ８０は、ＬＮＡ７０が出力する受信信号のゲインをベースバンド復調回路９０４（図６参照。）に含まれるアナログデジタル変換器（図示せず）のダイナミックレンジに収めることを目的としており、設定ゲインはベースバンド復調回路９０４からの制御信号によって制御される。このベースバンド復調回路９０４は、受信回路９０に含まれており詳細は後述する。
【００２６】
次に、図５を用いて、局部発振器１２及び送信回路２０の詳細を説明する。  
図５に示す局部発振器１２は、ＴＣＸＯ（温度補償水晶発振器）１２１と、ＰＬＬ（Ｐｈａｓｅ−Ｌｏｃｋｅｄ−Ｌｏｏｐ）１２２と、ＶＣＯ（Ｖｏｌｔａｇｅ  Ｃｏｎｔｒｏｌｌｅｄ  Ｏｓｃｉｌｌａｔｏｒ）１２３を有しており、例えば送信に使用するサブキャリアｓｂ−１１，ｓｂ−１２，ｓｂ−１３の中心周波数Ｆｂ１−１，Ｆｂ１−２，Ｆｂ１−３を生成する。
【００２７】
送信回路２０は、ＭＡＣ１１から入力されるデータに対して、誤り訂正符号化等の処理を施すとともに、所定の変調方式にて変調し変調信号を生成するベースバンド変調回路２０１と、入力された変調信号を複数のサブキャリア変調信号へと変換する直列並列変換回路２０２と、各サブキャリア変調信号を局部発振器１２からスイッチＳＷ１−１，ＳＷ１−２を介して入力される周波数でアップコンバートし、高周波信号を生成するアップコンバータ２０３−１，２０３−２と、各アップコンバータからスイッチＳＷ２−１〜ＳＷ２−４を介して入出力される高周波信号の帯域外周波数成分を除去し送信信号を生成するバンドパスフィルタ２０４−１〜２０４−３と、スイッチＳＷ１−１，ＳＷ１−２それぞれを制御することにより局部発振器１２からアップコンバータ２０３−１，２０３−２へ入力する周波数を選択し、スイッチＳＷ２−１，ＳＷ２−２を制御することによりバンドパスフィルタ２０４−１〜２０４−３へ入力する高周波信号を選択し、さらにスイッチＳＷ２−３，ＳＷ２−４を制御することによりバンドパスフィルタ２０４−１〜２０４−３から出力される高周波信号を選択するサブキャリアセレクタ２０５を備えている。
【００２８】
次に、図６を用いて受信回路９０の詳細を説明する。なお、局部発振器１２は、図４と同じであるため説明を省略する。
【００２９】
図６に示す受信回路９０は、ＶＧＡ８０から入力された受信信号を局部発振器１２から入力された周波数でダウンコンバートしベースバンド信号を生成するダウンコンバータ９０１−１〜９０１−３と、各ベースバンド信号の帯域外周波数成分を除去するバンドパスフィルタ９０２−１〜９０２−３と、入力されたベースバンド信号からヌル信号及び変調信号を選択するサブキャリアセレクタ９０３と、入力された変調信号を復調処理し、復調信号を生成するベースバンド復調回路９０４と、入力されたヌル信号を元に基地局ＢＳ−Ｂ及び無線端末Ｔａ−Ｂが信号を送信しているか否かを判定する他システム信号検出部９０５を備えている。この他システム信号検出部９０５の判定結果は、ＭＡＣ１１に入力される。他システム信号検出部９０５が基地局ＢＳ−Ｂ及び無線端末Ｔａ−Ｂが信号を送信していると判定した場合、ＭＡＣ１１は、判定された信号の周波数帯域及びこの周波数帯域での信号送信停止情報を含む送信データを送信回路２０へ入力する。送信回路２０は、入力された送信データを無線端末Ｔａ１−２に送信する。
【００３０】
次に、図７を用いて、他システム信号検出部９０５の構成を説明する。  
他システム信号検出部９０５は、サブキャリアセレクタ９０３から入力されるアナログのヌル信号をデジタル信号に変換するＡ／Ｄ変換器９５１と、Ａ／Ｄ変換器９５１から入力されるデジタル信号を一定期間累積加算する累積加算器９５２と、累積加算器９５２から入力される累積加算値と閾値レジスタ９５３に記憶されている閾値Ｔｈ１の大小関係を比較する比較器９５４を備えている。比較器９５４での比較結果である判定結果信号は、ＭＡＣ１１に入力される。また、閾値レジスタ９５３に記憶されている閾値Ｔｈ１は、ＭＡＣ１１やベースバンド復調回路９０４からの制御信号によって決定される。
【００３１】
次に、図８を用いて他システム信号検出部９０５の変形例を説明する。図７に示す他システム信号検出部９０５には、サブキャリアセレクタ９０３から１つのヌル信号が入力されるが、図８に示す他システム信号検出部９０５には、複数のヌル信号が入力される。
【００３２】
この場合、他システム信号検出部９０５は、サブキャリアセレクタ９０３から入力される複数のヌル信号に対応したＡ／Ｄ変換器９５１−１〜９５１−Ｎを備えており、各Ａ／Ｄ変換器９５１−１〜９５１−Ｎでデジタル信号に変換されたヌル信号は、全て累積加算器９５２へ入力され一定期間累積加算される。なお、図８に示す他システム信号検出部９０５は、複数のＡ／Ｄ変換器９５１−１〜９５１−Ｎを備える以外、図７に示す他システム信号検出部９０５と同じ構成であるため説明を省略する。
【００３３】
次に、図３乃至図１０を用いて無線端末Ｔａ１−１の動作を説明する。  
まず図３乃至図５を用いて、無線端末Ｔａ１−１が信号を送信する場合の動作を説明する。なお、無線端末Ｔａ１−２が信号を送信する場合の動作は、無線端末Ｔａ１−１と同じであるため説明を省略する。
【００３４】
先に述べたように、無線端末Ｔａ１−１は、例えばライセンスバンドＬＢ−Ｂの無線チャネルｃｈ−ｂ１，ｃｈ−ｂ２，・・・，ｃｈ−ｂＭの中から１つの無線チャネルｃｈ−ｂ１を選択し、この無線チャネルｃｈ−ｂ１に含まれる３本のサブキャリアｓｂ１１，ｓｂ１２，ｓｂ１３を用いて無線端末Ｔａ１−２と通信を行う（図３（ｂ）に示す）。ここでは、無線端末Ｔａ１−１が３本のサブキャリア中２本のサブキャリアｓｂ１１，ｓｂ１３ではデータを含む信号を、残りの１本のサブキャリアｓｂ１２ではヌル信号を無線端末Ｔａ１−２に送信する場合について説明する。
【００３５】
図５に示すベースバンド変調回路２０１は、ＭＡＣ１１から入力されるデータに対して、誤り訂正符号化等の処理を施すとともに、所定の変調方式にて変調し変調信号を生成する。生成された変調信号は、直列並列変換回路２０２に入力され２本のサブキャリア変調信号に変換され、それぞれにガードバンドが付加される。サブキャリア変調信号は、アップコンバータ２０３−１，２０３−２へ入力され、スイッチＳＷ１−１，ＳＷ１−２を介して局部発振器１２より入力される周波数ＦＢ１−１，ＦＢ１−３でそれぞれアップコンバートされ高周波信号となる。
【００３６】
次に、アップコンバードされた高周波信号は、スイッチＳＷ２−１，ＳＷ２−２を介して各サブキャリアの中心周波数ＦＢ１−１，ＦＢ１−３に対応したバンドパスフィルタ２０４−１，２０４−３にそれぞれ入力され、帯域外周波数成分が除去される。スイッチＳＷ２−１，ＳＷ２−２の制御は、サブキャリアセレクタ２０５によって行われる。各バンドパスフィルタ２０４−１，２０４−３にて帯域外周波数成分が除去された高周波信号は、スイッチＳＷ２−３，ＳＷ２−４を介してＰＡ３０に入力され、電力を増幅された後、バンドパスフィルタ４０を通過して送信アンテナ５１から送信される（図４参照。）
次に、図４、図６及び図７を用いて、無線端末Ｔａ１−１が信号を受信する場合の動作を説明する。なお、無線端末Ｔａ１−２が信号を受信する場合の動作は、無線端末Ｔａ１−１と同じであるため、説明を省略する。ここでは、通信相手である無線端末Ｔａ１−２は、無線端末Ｔａ１−１と同様に、無線チャネルｃｈ−ｂ１の３本のサブキャリア中２本のサブキャリアｓｂ１１，ｓｂ１３ではデータを含む信号を送信し、残りの１本のサブキャリアｓｂ１２では、ヌル信号を送信する場合について説明する。なお、無線端末Ｔａ１−１は、無線端末Ｔａ１−２からの通知によりサブキャリアｓｂ１２がヌルサブキャリアであることを予め知っているものとする。
【００３７】
図４に示す受信アンテナ５２を介して受信した受信信号は、バンドパスフィルタ６０に入力され帯域外周波数成分が除去される。帯域外周波数成分が除去された受信信号は、ＬＮＡ７０にて電力を増幅され、ＶＧＡ８０にてベースバンド復調回路９０４に含まれるアナログデジタル変換器（図示せず）のダイナミックレンジに収めるためにゲイン調整される。ゲイン調整された受信信号は、受信回路９０に入力される。以下、図６を用いて受信回路９０の動作を説明する。
【００３８】
図６のダウンコンバータ９０１−１〜９０１−３は、ＶＧＡ８０から入力された受信信号を局部発振器１２から入力される中心周波数Ｆｂ１−１〜Ｆｂ１−３にてそれぞれダウンコンバートし、ベースバンド信号を生成する。各ベースバンド信号は、対応するバンドパスフィルタ９０２−１〜９０２−３に入力され帯域外周波数成分を除去される。帯域外周波数成分を除去されたベースバンド信号は、サブキャリアセレクタ９０３に入力される。入力されたベースバンド信号のうち、サブキャリアｓｂ１１，ｓｂ１３で送信された信号は、ベースバンド復調回路９０４に入力され、サブキャリアｓｂ１２で送信された信号は他システム信号検出部９０５に入力される。ベースバンド復調回路９０４に入力されたベースバンド信号は、復調処理されるとともに、誤り訂正復符号化等の処理を施されてＭＡＣ１１へと入力される。
【００３９】
続いて図７を用いて、他システム信号検出部９０５の動作を説明する。他システム信号検出部９０５に入力されたベースバンド信号は、Ａ／Ｄ変換器９５１に入力されアナログ信号からデジタル信号へと変換される。累積加算器９５２は、Ａ／Ｄ変換器９５１から入力されるベースバンド信号の電力値を累積値に加算する。一定期間電力値を累積加算した累積加算器９５２は、この累積値を比較器９５４へ出力し、累積値を「０」とする。比較器９５４は、累積加算器９５２から入力される累積値と閾値レジスタ９５３に記憶されている閾値Ｔｈ１の大小を比較する。比較器９５４は、累積値が閾値Ｔｈ１より大きい場合は、基地局ＢＳ−Ｂと無線端末Ｔａ−Ｂとの間でやりとりされている信号を検出したとＭＡＣ１１へ通知し、累積値が閾値Ｔｈ１以下の場合は、基地局ＢＳ−Ｂ及び無線端末Ｔａ−Ｂの信号を検出しなかったとＭＡＣ１１へ通知する。なお、比較器９５４は、比較結果をＭＡＣ１１に通知し、ＭＡＣ１１が通知を受けた比較結果を元に信号検出の有無を判定してもよい。ＭＡＣ１１は、比較器９５４からの通知に応じて無線端末Ｔａ１−２との通信に無線チャネルｃｈ−ｂ１を継続して使用するか又は使用を停止するかを決定する。無線チャネルｃｈ−ｂ１の使用継続を決定した場合、ＭＡＣ１１は、引き続き無線チャネルｃｈ−ｂ１の信号を受信するよう受信回路９０に指示を与える。一方、無線チャネルｃｈ−ｂ１の使用停止を決定した場合、ＭＡＣ１１は、無線チャネルｃｈ−１ｂの使用を停止するよう送信停止信号を生成し、送信回路２０へ出力する。送信回路２０は、入力された送信停止信号を無線端末Ｔａ１−２に送信する。
【００４０】
次に、図９及び図１０を用いて無線端末Ｔａ１−１と無線端末Ｔａ１−２の通信について説明する。ここでは、無線端末Ｔａ１−１が無線端末Ｔａ１−２に信号を送信する場合について説明するが、無線端末Ｔａ１−２が無線端末Ｔａ１−１に信号を送信してもよい。
【００４１】
図９は、無線端末Ｔａ１−１と無線端末Ｔａ１−２の通信を説明するシーケンス図である。無線端末Ｔａ１−１は、無線端末Ｔａ１−２と通信を行う場合、まずサブキャリアｓｂ１１〜ｓｂ１３のうちヌルサブキャリアとするサブキャリアｓｂ１２の情報を通知する。なお、ヌルサブキャリアを一定の周期毎に変更する場合は、無線端末Ｔａ１−１は、ヌルサブキャリアの変更パターンを無線端末Ｔａ１−２に通知する（ステップＳ１０１）。
【００４２】
無線端末Ｔａ１−１がヌルサブキャリア変更パターンを通知し、無線端末Ｔａ１−２との通信が開始されると（ステップＳ１０２）、無線端末Ｔａ１−１は、通知したヌルサブキャリア変更パターンに従い、ヌルサブキャリア以外のサブキャリアを用いてデータや制御情報などを含んだ信号を送信する。ここでは、ヌルサブキャリアをサブキャリアｓｂ１２とし、無線端末Ｔａ１−１は、サブキャリアｓｂ１１，ｓｂ１３を用いて信号を送信するものとする（ステップＳ１０３）。
【００４３】
一方、無線端末Ｔａ１−２は、サブキャリアｓｂ１１〜ｓｂ１３で送信された信号全てを受信する（ステップＳ１０４）。無線端末Ｔａ１−２は、サブキャリアｂ１１，ｓｂ１３で送信された信号を復調し（ステップＳ１０５）、データ又は制御情報を得る。また、サブキャリアｓｂ１２で送信された信号を元に信号検出判定処理を行い、システムＢの信号、すなわち、基地局ＢＳ−Ｂと無線端末Ｔａ−Ｂが無線チャネルｃｈｂ−１を用いてやりとりしている信号を検出したか否かを判定する（ステップＳ１０６）。この信号検出判定処理については後述する。
【００４４】
信号検出判定処理の結果、システムＢの信号が検出されなかった場合、現在の通信を維持する（図示せず）。一方、信号検出判定処理の結果、システムＢの信号が検出された場合（ステップＳ１０７）、無線端末Ｔａ１−２は、送信停止信号を生成し（ステップＳ１０８）、この送信停止信号を無線端末Ｔａ１−１に送信する（ステップＳ１０９）。
【００４５】
なお、基地局ＢＳ−Ｂと無線端末Ｔａ−ＢがＦＤＤ方式で通信を行っている場合は、無線端末Ｔａ１−２は、システムＢが使用する上り及び下り用の周波数情報を予め記憶した周波数データベース（図示せず）を参照し、サブキャリアｓｂ１２の中心周波数Ｆｂ１−２だけでなく、この中心周波数Ｆｂ１−２に対応する上り又は下り周波数の使用も停止するよう送信停止信号を生成し、無線端末Ｔａ１−１に送信してもよい。
【００４６】
送信停止信号を受信した無線端末Ｔａ１−１は、直ちに信号送信を停止する（ステップＳ１１０）。その後、無線端末Ｔａ１−１は、無線チャネルｃｈ−ｂ１は使用せず、システムＢと干渉していない別の無線チャネルを選択し信号送信を再開する。また、無線端末Ｔａ１−１，Ｔａ１−２がライセンスバンドＬＢ−Ｂだけでなく、ＬＢ−Ｃも用いて通信を行う場合であって、ライセンスバンドＬＢ−Ｂの無線チャネルの信号を検出した場合は、ライセンスバンドＬＢ−Ｂの使用を停止し、ライセンスバンドＬＢ−Ｃを用いて通信を行ってもよい。
【００４７】
続いて、図１０を用いて信号検出判定処理を説明する。この信号検出判定処理は、図７に示すＭＡＣ及び他システム信号検出部にて行われる。図１０は、この信号検出判定処理を説明するフローチャートである。
【００４８】
まず、サブキャリアｓｂ１２の信号の受信電力は、累積加算器９５２（図７参照。）にて累積値に加算される（ステップＳ２０１）。次に累積加算器９５２は、一定期間が経過したか否かを判断し（ステップＳ２０２）、一定期間が経過するまで、受信信号を累積値に加算する（ステップＳ２０２のｎｏ）。一定期間が経過すると（ステップＳ２０２のｙｅｓ）、累積加算器９５２は、累積値を比較器９５４に入力する。比較器９５４は、この累積値と閾値レジスタ９５３に記憶されている閾値Ｔｈ１を比較する（ステップＳ２０３）。
【００４９】
比較の結果、累積値が閾値Ｔｈ１よりも大きい場合は、図３（ｃ）に示すように、信号が送信されていないはずのヌルサブキャリアｓｂ１−２で信号を検出したことを意味し、比較器９５４は、システムＢの信号を検出したとＭＡＣ１１へ通知する（ステップＳ２０４）。一方、累積値が閾値Ｔｈ１未満の場合は、図３（ｂ）に示すようにヌルサブキャリアｓｂ１−２で信号を検出しておらず、比較器９５４は、システムＢの信号を検出しなかったとＭＡＣ１１に通知する（ステップＳ２０５）。次に、累積加算器９５２が累積値を「０」としてこの信号検出判定処理を終了する。
【００５０】
なお、一定期間が経過したか否かの判断及び信号検出の有無の判断は、ＭＡＣ１１が行い、累積加算器９５２に指示を与えてもよい。
【００５１】
以上のように第１の実施例によれば、サブキャリアｓｂ１−１〜ｓｂ１−３の少なくとも１つをヌルサブキャリアとし、残りのサブキャリアで信号を無線端末Ｔａ１−２に送信し、無線端末Ｔａ１−２が、このヌルサブキャリアでの受信信号の受信電力の累積値を閾値Ｔｈ１と比較することで、無線端末Ｔａ１−１，Ｔａ１−２が通信中であっても、システムＢが無線チャネルｃｈ−ｂ１を使用したか否かを検出することができ、システＢの通信との干渉を検出することができる。さらに無線端末Ｔａ１−２は、システムＢの信号を検出すると、無線端末Ｔａ１−１に送信停止信号を送信し、無線チャネルｃｈ−ｂ１停止するため、システムＢの通信に与える干渉を低減することができる。
【００５２】
また、無線端末Ｔａ１−１，Ｔａ１−２の通信にＦＤＤ方式を用いることで、無線チャネルｃｈ−ｂ１でシステムＢとの干渉を検出した場合に、干渉が発生している無線チャネルｃｈ−ｂ１を使用せずに送信停止信号を送信することができ、システムＢの通信に与える干渉を低減することができる。さらに、システムＢも通信にＦＤＤ方式を用いている場合は、信号が検出された周波数だけでなく、この周波数に対応する上り又は下り周波数の使用も停止するよう送信停止信号を生成することで、システムＢの通信に与える干渉をさらに低減することができる。
【実施例２】
【００５３】
次に、図１１乃至図１４を用いて、本発明の第２の実施例に係る無線通信システムを説明する。本実施例に係る無線通信システム（以下、システムＡ２と称する。）は、図１に示すシステムＡ１と同様、システムＢ，Ｃに割り当てられたライセンスバンドを使用して通信を行うが、システムＡ２を構成する無線端末Ｔａ２−１，Ｔａ２−２は、ＯＦＤＭ通信方式を用いる点が異なる。
【００５４】
即ち、図２に示すように、無線端末Ｔａ１−１，Ｔａ１−２が用いるサブキャリアは、互いに帯域が重ならず、周波数的に独立している。一方、図１１（ａ）に示すように、無線端末Ｔａ２−１，Ｔａ２−２が用いるサブキャリアは、周波数の一部が重なるように配置されている。
【００５５】
図１１（ｂ）に示すように、無線端末Ｔａ２−１，Ｔａ２−２は、Ｌ本のサブキャリアｓｂ１１〜ｓｂ１Ｌのうち、Ｍ本のサブキャリアでは信号を送信し、残りのＬ−Ｍ本のサブキャリアでは信号を送信しない。システムＢの通信と干渉しない環境下では、図１１（ｂ）の左に示すように、ヌルサブキャリアで信号は観測されないが、図１１（ｂ）右に示すように、システムＢの通信との干渉が発生している環境下では、ヌルサブキャリアでも信号が観測される。
【００５６】
次に、図１２乃至図１４を用いて本実施例に係る無線端末Ｔａ２−１の構成を説明する。無線端末Ｔａ２−１は、送信回路２０及び受信回路９０をのぞき、図４に示す無線端末Ｔａ１−１とほぼ同じ構成であるため、同じ構成要素には同一符号を付し説明を省略する。また、無線端末Ｔａ２−２の構成は、無線端末Ｔａ２−１と同じであるため説明を省略する。
【００５７】
図１２は、無線端末Ｔａ２−１の送信回路２０の構成を示すブロック図である。  
送信回路２０は、ＭＡＣ１１から入力されたデータを複数のデータ列に変換する直列並列変換回路２１１と、変換したデータ列毎にＱＡＭ（Ｑｕａｄｒａｔｕｒｅ  Ａｍｐｌｉｔｕｄｅ  Ｍｏｄｕｌａｔｉｏｎ）変調し、サブキャリア変調信号を生成するサブキャリア変調回路２１２−１〜２１２−ｋと、Ｉ−ｃｈ、Ｑ−ｃｈ共に「０」の値を持つヌル信号を生成するヌル信号生成回路２１３と、ヌル信号生成回路２１３から入力されたヌル信号をヌルサブキャリアに割り当て、サブキャリア変調回路２１２から入力されたサブキャリア変調信号を、残りのサブキャリアにインタリーブして割り当ててサブキャリア割り当て信号を生成するサブキャリアセレクタ２１４と、サブキャリアから入力されたサブキャリア割り当て信号を、周波数領域から時間領域の信号へと変換し、時間領域信号を生成するＩＦＦＴ回路２１５と、複数の時間領域信号を元に付加するガードインターバルを制御するガードインターバル付加制御回路２１６と、複数の時間領域信号を１つの時間領域信号へと変換し、ガードインターバル付加制御回路２１６からの指示を元にガードインターバルを付加したＯＦＤＭ信号を生成する並列直列変換回路２１７と、生成したＯＦＤＭ信号をデジタル信号からアナログ信号へと変換するＤ／Ａ変換器２１８と、Ｄ／Ａ変換器２１８から入力されるＯＦＤＭ信号を局部発振器１２から入力される周波数でアップコンバートし高周波信号を生成するアップコンバータ２１９と、高周波信号の帯域外周波数を除去するバンドパスフィルタ２２０を備えており、生成した高周波信号を、図４に示すＰＡ３０に出力する。
【００５８】
なお、局部発振器１２が生成する周波数は、ライセンスバンドＬＢ−Ｂのうち使用する無線チャネルｃｈ−ｂ１〜ｃｈ−ｂＭによって異なり、局部発振器１２は、ＭＡＣ１１からの指示に基づき生成する。
【００５９】
次に、図１３及び図１４を用いて無線端末Ｔａ２−１の受信回路９０の構成を説明する。図１３は、無線端末Ｔａ２−１の受信回路の構成を示すブロック図である。
【００６０】
図１３に示す受信回路９０は、ＶＧＡ８０から入力された受信信号を、局部発振器１２から入力された周波数でダウンコンバートしベースバンド信号を生成するダウンコンバータ９１１と、ベースバンド信号の帯域外周波数成分を除去するバンドパスフィルタ９１２と、バンドパスフィルタ９１２から入力されたベースバンド信号にタイミング同期、周波数同期などの処理を行い、同期信号を生成する同期処理回路９１３と、同期処理回路から入力される時間領域の同期信号を周波数領域の同期信号へと変換するＦＦＴ回路９１４と、周波数領域の同期信号をベースバンド変調信号とヌル信号にわけ、各ベースバンド変調信号を対応するサブキャリア復調回路９１６−１〜９１６−ｋに出力し、ヌル信号を他システム信号検出部９０５に出力するサブキャリアセレクタ９１５と、サブキャリアセレクタ９１５から入力されたベースバンド変調信号それぞれをデインタリーブしベースバンド復調回路９１７へ出力するサブキャリア復調回路９１６−１〜９１６−ｋと、各サブキャリア復調回路９１６−１〜９１６−ｋから入力された信号に対して軟判定又は硬判定などの復調処理を行い、復調信号を生成し、ＭＡＣ１１に出力するベースバンド復調回路９１７と、サブキャリアセレクタ９１５から入力されたヌル信号を元にシステムＢの信号を検出する他システム信号検出部９０５を備えている。この他システム信号検出部９０５の判定結果は、ＭＡＣ１１に入力される。他システム信号検出部９０５が基地局ＢＳ−Ｂ及び無線端末Ｔａ−Ｂが信号を送信していると判定した場合、ＭＡＣ１１は、判定された信号の周波数帯域及びこの周波数帯域での信号送信停止情報を含む送信データを送信回路２０へ入力する。送信回路２０は、入力された送信データを無線端末Ｔａ２−２に送信する。
【００６１】
次に、図１４を用いて他システム信号検出部９０５の構成を説明する。図１４に示す他システム信号検出部９０５の構成は、図７に示す他システム信号検出部９０５の構成とほぼ同じであるが、Ａ／Ｄ変換器９５１を有していない点が異なる。本実施例に係る他システム信号検出部９０５は、サブキャリアセレクタから入力されるヌル信号を、一定のシンボル毎に累積加算する累積加算器９５２と、累積加算器９５２から入力される累積加算値と閾値レジスタ９５３に記憶されている閾値Ｔｈ２の大小関係を比較する比較器９５４を備えている。比較器９５４での比較結果である判定結果信号はＭＡＣ１１に入力される。また、閾値レジスタ９５３に記憶されている閾値Ｔｈ２は、ＭＡＣ１１やベースバンド復調回路９１７からの制御信号によって決定される。
【００６２】
次に、図１２乃至図１４を用いて本実施例に係る無線端末Ｔａ２−１の動作を説明する。なお、無線端末Ｔａ２−２の動作は、無線端末Ｔａ２−１と同じであるため説明を省略する。
【００６３】
まず図１２を用いて、無線端末Ｔａ２−１が信号を送信する場合の動作を説明する。無線端末Ｔａ２−１は、図１１（ｂ）に示すように、ライセンスバンドＬＢ−Ｂの無線チャネルｃｈ−ｂ１〜ｃｈ−ｂＭの中から１つの無線チャネルを選択し、この無線チャネルに含まれるＬ本のサブキャリアｓｂ１１〜ｓｂ１Ｌを用いて通信を行う。ここでは、無線端末Ｔａ２−１は、無線チャネルｃｈ−ｂ１を選択したものとし、Ｌ＝１０、サブキャリアｓｂ１３，ｓｂ１７をヌルサブキャリアとして信号を送信するものとする。なお、無線チャネルｃｈ−ｂ１の中心周波数をＦｂ−１とする。
【００６４】
図１２に示す直列並列変換回路２１１は、ＭＡＣ１１から入力されるデータを送信するサブキャリア数に分割し、データ列を生成する。このデータ列は、それぞれサブキャリア変調回路２１２−１〜２１２−ｋに入力されＱＡＭ変調を施されサブキャリア変調信号となる。また、ヌル信号生成回路２１３では、Ｉ−ｃｈ，Ｑ−ｃｈ共に「０」の値を持つヌル信号が生成され、サブキャリアセレクタ２１４に入力される。サブキャリアセレクタ２１４には、ヌル信号とともにサブキャリア変調信号が入力される。サブキャリアセレクタ２１４は、ヌルサブキャリア（ここではサブキャリアｓｂ１３，ｓｂ１７）にヌル信号を割り当て、残りのサブキャリア（サブキャリアｓｂ１１，ｓｂ１２，ｓｂ１４〜ｓｂ１６，ｓｂ１８〜ｓｂ１１０）に、インタリーブしたサブキャリア変調信号を割り当て、サブキャリア割り当て信号を生成する。
【００６５】
このサブキャリア割り当て信号は、ＩＦＦＴ回路２１５に入力され、周波数領域の信号から時間領域の信号へと変換され時間領域信号となる。この時間領域信号は、ガードインターバル付加制御回路２１６及び並列直列変換回路２１７に入力される。ガードインターバル付加制御回路２１６は、入力され時間領域信号を元に、並列直列変換回路２１７に対して付加するガードインターバルの指示を出す。並列直列変換回路２１７は、ガードインターバル付加制御回路２１６の指示に従い、入力された時間領域信号に対してガードインターバルを付加してＯＦＤＭ信号を生成する。
【００６６】
ＯＦＤＭ信号は、Ｄ／Ａ変換器２１８に入力されデジタル信号からアナログ信号へと変換される。アナログ信号に変換されたＯＦＤＭ信号は、アップコンバータ２１９に入力され、局部発振器１２から入力される周波数（ここでは無線チャネルｃｈ−ｂ１の中心周波数Ｆｂ−１）でアップコンバートされて高周波信号となる。高周波信号は、バンドパスフィルタ２２０に入力され帯域外周波数成分を除去されて送信信号となる。
【００６７】
送信信号は、スイッチを介してＰＡ３０に入力され、電力を増幅された後、バンドパスフィルタ４０を通過し送信アンテナ５１を介して送信される（図４参照。）。
【００６８】
次に、図４及び図１３を用いて、無線端末Ｔａ２−１が信号を受信する場合の動作を説明する。通信相手である無線端末Ｔａ２−２は、図１１（ｂ）に示すように、ライセンスバンドＬＢ−Ｂの無線チャネルｃｈ−ｂ１〜ｃｈ−ｂＭの中から１つの無線チャネルを選択し、この無線チャネルに含まれるＬ本のサブキャリアｓｂ１１〜ｓｂ１Ｌを用いて通信を行う。ここでは、無線端末Ｔａ２−２は、無線チャネルｃｈ−ｂ１を選択したものとし、Ｌ＝１０、サブキャリアｓｂ１３，ｓｂ１７をヌルサブキャリアとして信号を送信するものとする。なお、無線チャネルｃｈ−ｂ１の中心周波数をＦｂ−１とする。
【００６９】
図４に示す受信アンテナ５２を介して受信した受信信号は、バンドパスフィルタ６０に入力され帯域外周波数成分が除去される。帯域外周波数成分が除去された受信信号は、ＬＮＡ７０にて電力を増幅され、ＶＧＡ８０にてベースバンド復調回路９０４に含まれるアナログデジタル変換器（図示せず）のダイナミックレンジに収めるためにゲイン調整される。ゲイン調整された受信信号は、受信回路９０に入力される。以下、図１３を用いて受信回路９０の動作を説明する。
【００７０】
図１３のダウンコンバータ９１１は、ＶＧＡ８０から入力された受信信号を局部発振器１２から入力される中心周波数Ｆｂ−１にてダウンコンバートし、ベースバンド信号を生成する。ベースバンド信号は、バンドパスフィルタ９１２に入力され帯域外周波数成分を除去され、続く同期処理回路９１３に入力され、タイミング同期、周波数同期などの処理を施され、同期信号となる。
【００７１】
同期信号は、ＦＦＴ回路９１４に入力され、時間領域の信号から周波数領域の信号（以下、ＦＦＴ後信号と称する。）となる。このＦＦＴ後信号は、サブキャリアセレクタ９１５に入力され、ヌルサブキャリアではないサブキャリア（ｓｂ１１，ｓｂ１２，ｓｂ１４〜ｓｂ１６，ｓｂ１８〜ｓｂ１１０）で送信されたベースバンド変調信号と、ヌルサブキャリアで送信されたヌル信号（ｓｂ１３，ｓｂ１７）に分けられる。ヌルサブキャリアでないサブキャリアで送信されたベースバンド変調信号は、サブキャリアセレクタ９１５にてデインタリーブされてそれぞれ対応したサブキャリア復調回路９１６−１〜９１６−ｋに入力される。各サブキャリア復調回路９１６−１〜９１６−ｋでは、入力されたベースバンド変調信号をサブキャリア毎に復調してベースバンド復調回路９１７へ出力する。ベースバンド復調回路９１７に入力された信号は、軟判定または硬判定などの復調処理を施され、復調信号となってＭＡＣ１１へ出力される。
【００７２】
続いて図１４を用いて、他システム信号検出部９０５の動作を説明する。他システム信号検出部９０５に入力されたベースバンド信号は、累積加算器９５２に入力される。累積加算器９５２は、サブキャリアセレクタ９１５から入力されるベースバンド信号をシンボル毎に累積値に加算する。一定期間電力値を累積加算した累積加算器９５２は、この累積値を比較器９５４へ出力し、累積値を「０」とする。比較器９５４は、累積加算器９５２から入力される累積値と閾値レジスタ９５３に記憶されている閾値Ｔｈ２の大小を比較する。比較器９５４は、累積値が閾値Ｔｈ２より大きい場合は、基地局ＢＳ−Ｂ及び無線端末Ｔａ−Ｂの信号を検出したとＭＡＣ１１へ通知し、累積値が閾値Ｔｈ２以下の場合は、基地局ＢＳ−Ｂ及び無線端末Ｔａ−Ｂの信号を検出しなかったとＭＡＣ１１へ通知する。なお、比較器９５４は、比較結果をＭＡＣ１１に通知し、ＭＡＣ１１が通知を受けた比較結果を元に信号検出の有無を判定してもよい。ＭＡＣ１１は、比較器９５４からの通知に応じて無線端末Ｔａ２−２との通信に無線チャネルｃｈ−ｂ１を使用するか又は停止するかを決定する。
【００７３】
なお、無線端末Ｔａ２−１と無線端末Ｔａ２−２の間の通信のシーケンスは、図９及び図１０に示すシーケンスと同じであるため説明を省略する。
【００７４】
以上のように第２の実施例によれば、第１の実施例と同様の効果が得られるとともに、無線端末Ｔａ２−１，Ｔａ２−２の間の通信にＯＦＤＭ通信方式を用いることで、サブキャリアが周波数的に独立しているマルチキャリア通信方式に比べ、１つの無線チャネルｃｈｂ−１のサブキャリア数を多く確保することができ、周波数を有効に利用することができる。また、１つの無線チャネルｃｈｂ−１のサブキャリア数を多く確保することができるため、複数のサブキャリアをシステムＢの信号検出に使用するヌルサブキャリアとして信号送信を行うことができ、システムＢの信号検出精度を向上させることができる。
【実施例３】
【００７５】
次に、図１５乃至図１８を用いて本発明の第３の実施例に係る無線通信システムを説明する。
【００７６】
本実施例に係る無線通信システム（以下、システムＡ３と称する。）は、第２の実施例に示すシステムＡ２と同様、システムＢ，Ｃに割り当てられたライセンスバンドＬＢ−Ｂ，ＬＢ−Ｃの無線チャネルを使用して通信を行うが、一定時間毎に使用する無線チャネルを変更する点が異なる。
【００７７】
図１５及び図１６を用いて、システムＡ３に属する無線端末Ｔａ３−１，Ｔａ３−２の無線チャネルの使用例を説明する。図１５に示すように、無線端末Ｔａ３−１，Ｔａ３−２は、ライセンスバンドＬＢ−Ｂの無線チャネルｃｈ−ｂ１〜ｃｈ−ｂＭ（図１５では、Ｍ＝４）及びライセンスバンドＬＢ−Ｃの無線チャネルｃｈ−ｃ１〜ｃｈ−ｃｍ（図１５では、ｍ＝３）を用いて通信を行う。このとき、無線端末Ｔａ３−１，Ｔａ３−２は、使用する無線チャネルの周波数をホッピングさせて通信を行う。例えば、図１５に示すように、無線端末Ｔａ３−１，Ｔａ３−２は、まず無線チャネルｃｈ−ｂ１を用いて通信を行い、次に無線チャネルｃｈ−ｂ３を用いて通信を行う。即ち、無線端末Ｔａ３−１，Ｔａ３−２は、無線チャネルをｃｈ−ｂ１，ｃｈ−ｂ３，ｃｈ−ｂ５，ｃｈ−ｂ１，ｃｈ−ｂ３，・・の順に周波数ホッピングして通信を行う。
【００７８】
なお、無線端末Ｔａ３−１，Ｔａ３−２の通信中に行う周波数ホッピングは、図１５に示すように１つの周波数ホッピングパターンを用いてもよく、図１６（ａ）の周波数ホッピングパターンと図１６（ｂ）のホッピングパターンのように複数の周波数ホッピングパターンを用いてもよい。
【００７９】
次に、図１７及び図１８を用いて、無線端末Ｔａ３−１の構成を説明する。なお、無線端末Ｔａ３−２の構成は、無線端末Ｔａ３−１と同じであるため説明を省略する。また、無線端末Ｔａ３−１は、送信回路２０及び受信回路９０をのぞき、図４に示す無線端末Ｔａ１−１と同じ構成であるため、同じ構成要素には同一符号を付し説明を省略する。
【００８０】
図１７は、無線端末Ｔａ３−１の送信回路２０の構成を示すブロック図である。図１７に示す無線端末Ｔａ３−１の送信回路２０の構成は、図１２に示す無線端末Ｔａ２−１とほぼ同じであるが、周波数ホッピングパターンを選択するホッピングパターン選択回路２２１と、ホッピングパターン選択回路２２１で選択したホッピングパターンにあわせて通信に使用する無線チャネルを選択するチャネル選択回路２２２と、チャネル選択回路２２２が選択した無線チャネルの中心周波数をアップコンバータに入力するよう局部発振器１２の出力を切り替えるスイッチＳＷ３−１を新たに備えている。それ以外の構成は、図１２に示す無線端末Ｔａ２−１の送信回路２０と同じであるため同一符号を付し説明を省略する。なお、局部発振器１２は、周波数ホッピングパターンに対応した周波数を生成する。
【００８１】
次に図１８は、無線端末Ｔａ３−１の受信回路９０の構成を示すブロック図である。図１８に示す無線端末Ｔａ３−１の受信回路９０の構成は、図１３に示す無線端末Ｔａ２−１とほぼ同じであるが、通信に使用された無線チャネルを選択するチャネル選択回路９１９と、チャネル選択回路９１９が選択した無線チャネルの中心周波数にあわせたバンドパスフィルタ９２０と、チャネル選択回路９１９が選択した無線チャネルの中心周波数をダウンコンバータに入力するよう局部発振器１２の出力を切り替えるスイッチＳＷ３−２と、受信信号を無線チャネルの中心周波数にあわせたバンドパスフィルタ９２０−１〜９２０−３に入力するスイッチＳＷ３−３，ＳＷ３−４を新たに備えている。それ以外の構成は、図１３に示す無線端末Ｔａ２−１の受信回路９０と同じであるため同一符号を付し説明を省略する。なお、局部発振器１２は、周波数ホッピングパターンに対応した周波数を生成する。
【００８２】
次に図１６及び図１７を用いて、無線端末Ｔａ３−１が信号を送信する場合の動作を説明する。
【００８３】
ここでは、無線端末Ｔａ３−１が、図１６（ａ）に示すホッピングパターンに従い、ライセンスバンドＬＢ−Ｂの無線チャネルｃｈ−ｂ１〜ｃｈ−ｂ３のいずれかを用いて信号を送信する場合について説明するが、図１５に示すホッピングパターンに従ってもよく、また図１６（ｂ）に示すホッピングパターンに従ってもよい。図１６に示すように複数のホッピングパターンを選択できる場合、どのホッピングパターンを選択するかは、ＭＡＣ１１から入力される情報によってホッピングパターン選択回路２２１が決定する。
【００８４】
なお、Ｄ／Ａ変換器２１８によってアナログＯＦＤＭ信号が生成されるまでの動作は、図１２に示す送信回路２０の動作と同じであるため説明を省略する。
【００８５】
Ｄ／Ａ変換器２１８でアナログ信号に変換されたＯＦＤＭ信号は、アップコンバータ２１９に入力され、スイッチＳＷ３−１を介して局部発振器１２から入力される周波数でアップコンバートされて高周波信号となる。高周波信号は、バンドパスフィルタ２２０に入力され帯域外周波数成分を除去されて送信信号となる。送信信号は、スイッチを介してＰＡ３０に入力され、電力を増幅された後、バンドパスフィルタ４０を通過し送信アンテナ５１を介して送信される（図４参照。）。
【００８６】
ここで、スイッチＳＷ３−１を介して局部発振器１２からアップコンバータ２１９に入力される周波数は、次のように決定される。まず、システムＢ，Ｃと干渉している無線チャネルなどの情報がＭＡＣ１１からホッピングパターン選択回路２２１に入力される。ホッピングパターン選択回路２２１は、ＭＡＣ１１から入力される情報に基づき、また一定の周期の経過を条件として周波数ホッピングパターンを選択する。ホッピングパターン選択回路２２１は、このとき選択した周波数ホッピングパターンの情報をチャネル選択回路２２２に入力する。チャネル選択回路２２２は、この周波数ホッピングパターンに基づき、システムＢ，Ｃと干渉していない無線チャネルを選択する。さらにチャネル選択回路は、選択した無線チャネルの中心周波数がアップコンバータに入力されるようスイッチＳＷ３−１に指示を与える。
【００８７】
次に図１８を用いて無線端末Ｔａ３−１が信号を受信する場合の動作を説明する。なお、無線端末Ｔａ３−１の受信アンテナ５２が信号を受信し、ＶＧＡ８０が受信信号を受信回路９０に入力するまでの場合の動作は、図３に示す無線端末Ｔａ１−１と同じであるため説明を省略する。
【００８８】
図１８のダウンコンバータ９１１は、ＶＧＡ８０から入力された受信信号を局部発振器１２から入力される周波数にてダウンコンバートし、ベースバンド信号を生成する。ベースバンド信号は、スイッチＳＷ３−３を介してダウンコンバートされた周波数に対応したバンドパスフィルタ９２０−１〜９２０−３に入力され帯域外周波数成分を除去される。帯域外周波数成分を除去されたベースバンド信号は、スイッチＳＷ３−４を介して同期処理回路９１３に入力される。同期処理回路９１３以降の動作は、図１３に示す受信回路９０と同じであるため説明を省略する。
【００８９】
なお、受信信号には周波数ホッピングパターンの情報が含まれており、ＭＡＣ１１は、この情報を元に信号送信に使用される無線チャネルを判断し、チャネル選択回路９１９に通知する。通信に使用される無線チャネルの通知を受けたチャネル選択回路９１９は、この無線チャネルの中心周波数に対応した局部発振器１２の出力を得るためスイッチＳＷ３−２を制御し、またベースバンド信号をこの無線チャネルの中心周波数に対応したバンドパスフィルタに入力するためスイッチＳＷ３−３，ＳＷ３−４を制御する。
【００９０】
次に、無線端末Ｔａ３−１，Ｔａ３−２の間の通信のシーケンスについて説明する。なお、無線端末Ｔａ３−１，Ｔａ３−２が通信を開始し、無線端末Ｔａ３−２が干渉を検出した無線チャネルの送信停止信号を送信するまでのシーケンスは、図９及び図１０に示すシーケンスと同じであるため説明を省略する。
【００９１】
例えば、無線端末Ｔａ３−２から無線チャネルｃｈ−ｂ１の送信停止信号を受信した無線端末Ｔａ３−１は、以後の通信に周波数ホッピングパターンのうち無線チャネルｃｈ−ｂ１を使用せず、残りの無線チャネル（図１６（ａ）では、無線チャネルｃｈ−ｂ２，ｃｈ−ｂ３）を使用することを決定し、無線端末Ｔａ３−２に通知する。
【００９２】
また、複数の周波数ホッピングパターンから１つを選択して通信を行っている場合は、使用停止した無線チャネル数が予め定めた閾値Ｔｈ３を超えた場合や一定期間が経過した場合を条件に、現在使用している周波数ホッピングパターンを別のホッピングパターンに変更してもよい。例えば、無線端末Ｔａ３−１，Ｔａ３−２が図１６（ａ）（ｂ）に示す２つの周波数ホッピングパターンのいずれかを用いて通信を行う場合、無線端末Ｔａ３−１は使用停止した無線チャネル数が予め定めた閾値Ｔｈ３を超えた場合や一定期間が経過した場合を条件に、図１６（ａ）に示す周波数ホッピングパターンから図１６（ｂ）に示す周波数ホッピングパターンへと変更する。無線端末Ｔａ３−１は、周波数ホッピングパターンを変更した場合も、変更後新たに使用するホッピングパターンを無線端末Ｔａ３−２に通知する。
【００９３】
以上のように第３の実施例によれば、第２の実施例と同様の効果が得られるとともに、使用する無線チャネルを一定時間毎に変更する周波数ホッピングを通信に使用し、通信を行っている無線チャネルに干渉が発生した場合、周波数ホッピングに使用する無線チャネルのうち、干渉が発生した無線チャネルの使用を停止し、残りの無線チャネルを用いて通信を行うことで、システムＢ，Ｃとの間に干渉が発生した場合でも、通信に使用する無線チャネルをはじめから選択しなおす必要がなく、無線チャネル選択の制御を容易に行うことができる。
【００９４】
また、複数の周波数ホッピングパターンの中から１つを選択して通信に使用する場合において、システムＢ，Ｃとの干渉が増え、使用できない無線チャネル数が増加すると、通信に使用するホッピングパターンを別の周波数ホッピングパターンに変更することで、通信に使用できる無線チャネル数を一定数以上に保つことができ、無線端末Ｔａ３−１，Ｔａ３−２間の通信を維持できるとともに周波数を有効に利用することができる。
【実施例４】
【００９５】
次に、図１９を用いて本発明の第４の実施例に係る無線通信システムを説明する。
【００９６】
本実施例に係る無線通信システム（以下、システムＡ４と称する。）は、システムＡ４に属する無線端末Ｔａ４−１，Ｔａ４−２が通信に使用するヌルサブキャリアの選択方法を除き、第３の実施例に示したシステムＡ３と同じであるため、同一符号を付し説明を省略する。
【００９７】
図１９に示すように、例えばシステムＢがＩＥＥＥ８０２．１１ａに準拠する無線ＬＡＮシステムであり、ＯＦＤＭ通信方式を採用している場合、無線チャネルを５２本のサブキャリアに分割して通信を行っている。このとき５２本のサブキャリアのサブキャリアナンバーを周波数が低い方から順に、−２６，−２５，・・・，２５，２６（ただし０はヌルサブキャリアとする。）とすると、このうち±２４，±２０，±１６，±１２，±２０，±４の使用率が高くなる。これは、１つのＯＦＤＭパケットはショートトレーニング系列、ロングトレーニング系列、シグナルフィールド、データシンボルで構成されており、ショートトレーニング系列は±２４，±２０，±１６，±１２，±２０，±４のサブキャリアだけが使用され、それ以外では５２本のサブキャリアが使用されるからである。そこで、システムＢが無線ＬＡＮシステムである場合、無線端末Ｔａ４−１，Ｔａ４−２は、使用するサブキャリアｃｈ−ｂ１〜ｃｈ−ｂ５のうち、システムＢが使用するサブキャリア±２４，±２０，±１６，±１２，±２０，±４を含むサブキャリアをヌルサブキャリアとする。例えば図１８では、無線端末Ｔａ４−１，Ｔａ４−２は、システムＢのサブキャリア±８を含むサブキャリアｃｈ−ｂ２，ｃｈ−ｂ４をヌルサブキャリアとして通信を行う。
【００９８】
なお、無線端末Ｔａ４−１，Ｔａ４−２の構成及び動作は、第３の実施例に示す無線端末Ｔａ３−１，Ｔａ３−２と同じであるため説明を省略する。
【００９９】
以上のように第４の実施例によれば、第３の実施例と同様の効果が得られるとともに、システムＢの使用頻度が高い周波数を含むサブキャリアをヌルサブキャリアとすることによって、システムＢの信号の検出率を向上させることができ、システムＢの通信に与える干渉を抑制することができる。
【実施例５】
【０１００】
次に、図２０乃至図２２を用いて本発明の第５の実施例に係る無線通信システムを説明する。
【０１０１】
本実施例に係る無線通信システム（以下、システムＡ５と称する。）は、第４の実施例に示すシステムＡ４と同じであるが、システム５に属する無線端末Ｔａ５−１，Ｔａ５−２が使用する無線チャネルの周波数配置が異なる。
【０１０２】
図２０を用いて本実施例に係る無線通信システムが使用する無線チャネルの周波数配置例を説明する。図２０に示すように、システムＡ５は、システムＢのライセンスバンドＬＢ−Ｂのうち、３．１ＧＨｚから１０．６ＧＨｚの周波数帯域を複数の無線チャネルに分割して通信に使用する。
【０１０３】
システムＡ５は、３．１ＧＨｚから１０．６ＧＨｚの周波数帯域をチャネルｃｈＡ〜ｃｈＥに分割する。さらにチャネルｃｈＡ〜ｃｈＥは、帯域幅が５２８ＭＨｚである３つのサブバンドグループＳＢ−Ａ１〜ＳＢ−Ａ３，ＳＢ−Ｂ１〜ＳＢ−Ｂ３，・・・に分割され、チャネルＥは２つのサブバンドグループＳＢ−Ｅ１，ＳＢ−Ｅ２に分割される。
【０１０４】
さらに、このサブバンドグループＳＢ−Ａ１・・・は、それぞれ１２８のサブキャリアに分割されており、無線端末Ｔａ５−１，Ｔａ５−２は、このサブキャリアのうち複数のサブキャリアをヌルサブキャリアとして互いに通信を行う。このとき、信号を送信する無線端末（例えば、無線端末Ｔａ５−１）は、１２８のサブキャリアのうち、連続する３つ以上のサブキャリアをヌルサブキャリアとして信号を送信する。
【０１０５】
続いて図２１を用いて、無線端末Ｔａ５−１，Ｔａ５−２の間の通信に使用する周波数ホッピングパターンを説明する。無線端末Ｔａ５−１，Ｔａ５−２は、一定時間毎にサブバンドグループを変更して通信を行う。ここでは、無線端末Ｔａ５−１が無線端末Ｔａ５−２に信号を送信する場合について説明するが、無線端末Ｔａ５−２が無線端末Ｔａ５−１に信号を送信してもよい。
【０１０６】
図２１（ａ）に示す例では、無線端末Ｔａ５−１は、まずチャネルｃｈＡのサブバンドグループＳＢ−Ａ１を用いて信号を送信する。この信号を送信する期間Ｔ１は、３００ｎｓｅｃである。次に無線端末Ｔａ５−１は、期間Ｔ２（＝１０ｎｓｅｃ）の経過後、
チャネルｃｈＡのサブバンドグループＳＢ−Ａ２を用いて信号を送信する。無線端末Ｔａ５−１は、その後、サブバンドグループＳＢ−Ａ３，ＳＢ−Ａ１，ＳＢ−Ａ２，・・・の順に、チャネルｃｈＡのサブバンドグループを用いて信号を送信する。
【０１０７】
一方、図２１（ｂ）に示す例では、無線端末Ｔａ５−１は、まずチャネルｃｈＢのサブバンドグループＳＢ−Ｂ１を用いて信号を送信する。この信号を送信する期間Ｔ１は、３００ｎｓｅｃである。次に無線端末Ｔａ５−１は、期間Ｔ２（＝１０ｎｓｅｃ）の経過後、チャネルｃｈＢのサブバンドグループＳＢ−Ｂ２を用いて信号を送信する。無線端末Ｔａ５−１は、その後、サブバンドグループＳＢ−Ｂ３，ＳＢ−Ｂ１，ＳＢ−Ｂ２，・・・の順に、チャネルｃｈＢのサブバンドグループを用いて信号を送信する。
【０１０８】
無線端末Ｔａ５−１は、無線端末Ｔａ５−２が送信する送信停止信号を受信した場合は、その通信に使用したサブバンドグループを以後の通信に使用しない。また、使用を停止したサブバンドグループの数が一定値を超えたことを条件として通信に使用するホッピングパターンを、例えば図２１（ａ）に示す周波数ホッピングパターンから図２１（ｂ）に示す周波数ホッピングパターンへと変更する。この周波数ホッピングパターンの変更は、一定時間経過を条件に行ってもよい。
【０１０９】
次に、無線端末Ｔａ５−１の構成及び動作を説明する。なお、無線端末Ｔａ５−１，Ｔａ５−２の構成及び動作は、受信回路９０のサブキャリアセレクタ９１５から他システム信号検出部９０５へ入力されるヌルサブキャリアの信号を除き、図１８と同じであるため同一符号を付し説明を省略する。
【０１１０】
図１８に示すサブキャリアセレクタ９１５は、受信した信号のうち、ヌルサブキャリアで送信された信号を他システム信号検出部９０５に入力する。本実施例では、１２８本のサブキャリアのうち、連続する３つ以上のサブキャリアをヌルサブキャリアとする。そこで、本実施例に係るサブキャリアセレクタ９１５は、連続する３つ以上のヌルサブキャリアのうち、両端のヌルサブキャリアをのぞいた中心のヌルサブキャリアを他システム信号検出部９０５に入力する。他システム信号検出部９０５は、入力された中心のヌルサブキャリアを用いてシステムＢの信号を検出する。
【０１１１】
以上のように第５の実施例によれば、第４の実施例と同様の効果が得られるとともに、連続する３つ以上のサブキャリアをヌルサブキャリアとし、このうち両端をのぞく中心のヌルサブキャリアを用いてシステムＢの信号を検出することによって、ヌルサブキャリアに隣接するサブキャリアのマルチパスによる影響を低減することができる。
【０１１２】
これをシミュレーション結果により説明する。図２２はOFDM通信する送信側でヌルサブキャリアを１つから連続する５本にしたとき、受信側でヌルサブキャリアのうち中心のサブキャリアで電力測定した結果を表したものである。ただし、連続するヌルサブキャリア数が偶数（2本または4本）のときは中心2つのサブキャリアの一方で電力測定している。図２２より、ヌルサブキャリアが１つまたは２つのときは、他のサブキャリアのマルチパスによる影響が大きいため、ヌルサブキャリアで測定した電力がシステムBからの干渉によるものなのか、あるいは他のサブキャリアのマルチパスによる影響なのか正確に判断できない。一方、連続するヌルサブキャリアが3本以上あれば、他のサブキャリアのマルチパスによる影響を十分に抑えることができ、結果としてシステムBの信号をより正確に観測することが可能になる。
【０１１３】
なお、シミュレーション条件は、次の通りである。まず、全サブキャリア数Ｌは５２本、ＯＦＤＭシンボル長は３．２μｓｅｃ、ガードインターバル長は０．８μｓｅｃである。また、伝送路を２波レイリーフェージングとし、ＳＮ比を２０ｄｂとする。変調方式としてＱＰＳＫ変調方式を用い、遅延スプレッドは０．７５μｓｅｃ、システムＢからの干渉はないものとしている。
【０１１４】
以上より、システムＢの信号の誤検出を少なくし、精度よくシステムＢの信号を検出することができる。
【実施例６】
【０１１５】
次に図２３を用いて、本発明の第６の実施例に係る無線通信システムについて説明する。図２３に示すように、本実施例に係る無線通信システム（以下、システムＡ６と称する。）は、基地局ＢＳ６と、この基地局ＢＳ６と通信を行う複数の無線端末Ｔａ６−１，・・・，Ｔａ６−ｔ（図２３では、ｔ＝２）が属している点をのぞき、第１の実施例に示すシステムＡ１と同様に、システムＢ，ＣのライセンスバンドＬＢ−Ｂ，ＬＢ−Ｃを用いて通信を行う。
【０１１６】
このシステムＡ６に属する基地局ＢＳ６及び無線端末Ｔａ６−１，Ｔａ６−２の構成及び動作は、図４乃至図７に示す無線端末Ｔａ１−１と同じであるため説明を省略する。ただし、基地局ＢＳ６は、無線端末Ｔａ６−１，Ｔａ６−２と同時に通信を行うため、複数の受信回路９０及び送信回路２０を備えている。
【０１１７】
ここで、基地局ＢＳ６が無線端末Ｔａ６−１と無線チャネルｃｈ−ｂ１を用いて通信を行っているものとする。無線端末Ｔａ６−１は、無線チャネルｃｈ−ｂ１を受信したときに、システムＢの信号を検出したならば、基地局ＢＳ６に無線チャネルｃｈ―ｂ１の使用を停止するよう送信停止信号を送信する。この送信停止信号を受信した基地局ＢＳ６は、無線端末Ｔａ６−１との通信に無線チャネルｃｈ−ｂ１の使用を停止するとともに、無線端末Ｔａ６−２との通信にも無線チャネルｃｈ−ｂ１を使用しないようにする。
【０１１８】
以上のように第６の実施例によれば、第１の実施例と同様の効果が得られるとともに、無線端末Ｔａ６−１との通信に使用している無線チャネルｃｈ−ｂ１でシステムＢと干渉が発生した場合、無線端末Ｔａ６−１との通信だけでなく、無線端末Ｔａ６−２との通信にも無線チャネルｃｈ−ｂ１の使用を停止する。このように、ある無線端末との通信によってシステムＢと干渉が発生した場合、その無線チャネルを全ての端末との通信で使用しないことによって、システムＢへ与える干渉を抑制することができる。
【０１１９】
なお、本実施例では、システムＡ１を基地局と複数の無線端末の通信に適用した例を示したが、システムＡ２乃至Ａ５に対して適用しても同様の効果が得られる。
【０１２０】
なお、本発明は上記実施例そのままに限定されるものではなく、実施段階ではその要旨を逸脱しない範囲で構成要素を変形して具体化できる。また、上記実施例に開示されている複数の構成要素の適宜な組み合わせにより、種々の発明を形成できる。例えば、実施例に示される全構成要素から幾つかの構成要素を削除してもよい。さらに、異なる実施例にわたる構成要素を適宜組み合わせてもよい。
【図面の簡単な説明】
【０１２１】
【図１】本発明の第１の実施例に係る無線通信システムの構成を示す図。
【図２】システムＢに属する基地局ＢＳ−Ｂ及び無線端末Ｔａ−Ｂが使用する無線チャネルの周波数配置を示す図。
【図３】本発明の第１の実施例に係る無線端末Ｔａ１−１，Ｔａ１−２が通信に使用するサブキャリアの構成を示す図。
【図４】本発明の第１の実施例に係る無線端末Ｔａ１−１の構成を示すブロック図。
【図５】本発明の第１の実施例に係る局部発振器１２及び送信回路２０の構成を示すブロック図。
【図６】本発明の第１の実施例に係る受信回路９０の構成を示すブロック図。
【図７】本発明の第１の実施例に係る他システム信号検出部９０５の構成を示すブロック図。
【図８】本発明の第１の実施例に係る他システム信号検出部９０５の変形例を示すブロック図。
【図９】本発明の第１の実施例に係る無線端末Ｔａ１−１と無線端末Ｔａ１−２の通信を説明するシーケンス図。
【図１０】本発明の第１の実施例に係る信号検出判定処理を示すフローチャート。
【図１１】本発明の第２の実施例に係る無線端末Ｔａ２−１，Ｔａ２−２が通信に使用するサブキャリアの構成を示す図
【図１２】本発明の第２の実施例に係る無線端末Ｔａ２−１の送信回路２０構成を示すブロック図。
【図１３】本発明の第２の実施例に係る無線端末Ｔａ２−１の受信回路９０の構成を示すブロック図。
【図１４】本発明の第２の実施例に係る無線端末Ｔａ２−１の他システム信号検出部９０５構成を示すブロック図。
【図１５】本発明の第３の実施例に係る無線端末Ｔａ３−１，Ｔａ３−２が使用する周波数ホッピングパターンを示す図。
【図１６】本発明の第３の実施例に係る無線端末Ｔａ３−１，Ｔａ３−２が使用する周波数ホッピングパターンの変形例を示す図。
【図１７】本発明の第３の実施例に係る無線端末Ｔａ３−１の送信回路２０構成を示すブロック図。
【図１８】本発明の第３の実施例に係る無線端末Ｔａ３−１の受信回路９０の構成を示すブロック図。
【図１９】本発明の第４の実施例に係る無線端末Ｔａ４−１，Ｔａ４−２が通信に使用するサブキャリアの構成を示す図。
【図２０】本発明の第５の実施例に係る無線端末Ｔａ５−１，Ｔａ５−２が通信に使用するサブキャリアの構成を示す図
【図２１】本発明の第５の実施例に係る無線端末Ｔａ５−１，Ｔａ５−２が使用する周波数ホッピングパターンを示す図。
【図２２】本発明の第５の実施例に係る無線通信システムのシミュレーション結果を示す図。
【図２３】本発明の第６の実施例に係る無線通信システムの構成を示す図。
【符号の説明】
【０１２２】
１１・・・メディアアクセスコントロール（ＭＡＣ）
１２・・・局部発振器
２０・・・送信回路
３０・・・パワーアンプ（ＰＡ）
４０，６０，２０４，２２０，９０２，９１２・・・バンドパスフィルタ
５１，５２・・・アンテナ
７０・・・低雑音増幅器（ＬＮＡ）
８０・・・ＶＧＡ（Ｖａｒｉａｂｌｅ  Ｇａｉｎ  Ａｍｐｌｉｆｉｅｒ）
９０・・・受信回路
１２１・・・ＴＣＸＯ（温度補償水晶発振器）
１２２・・・ＰＬＬ（Ｐｈａｓｅ−Ｌｏｃｋｅｄ−Ｌｏｏｐ）
１２３・・・ＶＣＯ（Ｖｏｌｔａｇｅ  Ｃｏｎｔｒｏｌｌｅｄ  Ｏｓｃｉｌｌａｔｏｒ）
２０１・・・ベースバンド変調回路
２０２，２１１・・・直列並列変換回路
２０３，２１９・・・アップコンバータ
２０５，２１４，９０３，９１５・・・サブキャリアセレクタ
２１２・・・サブキャリア変調回路
２１３・・・ヌル信号生成回路
２１５・・・ＩＦＦＴ回路
２１６・・・ガードインターバル付加制御回路
２１７・・・並列直列変換回路
２１８・・・Ｄ／Ａ変換器
２２１・・・ホッピングパターン選択回路
２２２・・・チャネル選択回路
９０１，９１１・・・ダウンコンバータ
９０４・・・ベースバンド復調回路
９０５・・・他システム信号検出部
９５１・・・Ａ／Ｄ変換器
９５２・・・累積加算器
９５３・・・閾値レジスタ
９５４・・・比較器
９１３・・・同期処理回路
９１４・・・ＦＦＴ回路
９１６・・・サブキャリア復調回路
９１７・・・ベースバンド復調回路
ＳＷ１−１〜ＳＷ３−４・・・スイッチ
Ｔａ１−１〜Ｔａ６−２，Ｔａ−Ｂ，Ｔａ−Ｃ・・・無線端末
ＢＳ−６，ＢＳ−Ｂ，ＢＳ−Ｃ・・・基地局
【図１】
2007312114.tif 000003
【図２】
2007312114.tif 000004
【図３】
2007312114.tif 000005
【図４】
2007312114.tif 000006
【図５】
2007312114.tif 000007
【図６】
2007312114.tif 000008
【図７】
2007312114.tif 000009
【図８】
2007312114.tif 000010
【図９】
2007312114.tif 000011
【図１０】
2007312114.tif 000012
【図１１】
2007312114.tif 000013
【図１２】
2007312114.tif 000014
【図１３】
2007312114.tif 000015
【図１４】
2007312114.tif 000016
【図１５】
2007312114.tif 000017
【図１６】
2007312114.tif 000018
【図１７】
2007312114.tif 000019
【図１８】
2007312114.tif 000020
【図１９】
2007312114.tif 000021
【図２０】
2007312114.tif 000022
【図２１】
2007312114.tif 000023
【図２２】
2007312114.tif 000024
【図２３】
2007312114.tif 000025